(57)【要約】      （修正有）【課題】寛容度の改善のために、高い慣性モーメント、および大きい打撃面のサイズの両方を有するゴルフクラブヘッドを提供する。【解決手段】ゴルフクラブヘッドは、内部空洞を画定するボディを含む。該ボディは、該ゴルフクラブヘッドの下部に配設されるソール、頂部に配設されるクラウン、ならびに該ソールと該クラウンとの間の外面周囲に配設されるスカートを含む。前記ボディは、前部および後部を有することができる。前記クラブヘッドは、前記ボディの前記前部に配設されるフェースを含む。該フェースは、ゴルフクラブヘッドの基点で、理想的なインパクト位置を有する打撃面を画定する。該クラブヘッドのいくつかの実施形態は、高い慣性モーメントと、変厚フェースとを有する。【選択図】図１
2009160376.tif 000002
【特許請求の範囲】
【請求項１】
ゴルフクラブヘッドであって、
内部空洞を画定し、前記ゴルフクラブヘッドの下部に配設されるソールと、頂部に配設されるクラウンと、前記ソールと前記クラウンとの間の外面周辺に配設されるスカートとを備えるボディであって、前部と後部を有するボディと、
前記ボディの前記前部に配設されるフェースであって、前記ゴルフクラブヘッドの基点で、理想的なインパクト位置を有する打撃面を画定し、前記ヘッドの基点は、前記ヘッドが理想的に配設されるとき、前記フェースに接線方向であり、地面に略平行であるｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ゴルフクラブヘッドは、約４９０ｋｇ／ｍｍ２より大きい、前記ヘッドの基点ｚ軸に略平行の、前記ゴルフクラブヘッドの重心ｚ軸周囲に慣性モーメントを有し、
前記フェースは、前記ヘッドの基点ｘ軸に沿って厚さを有し、前記厚さは、約−１０ｍｍから約−５０ｍｍの第１の範囲、および約１０ｍｍから約５０ｍｍの第２の範囲内で、前記ｘ軸座標ｘの少なくとも５０％に対して、ｔｍｉｎからｔｍａｘであり、
【数１】
2009160376.tif 000043
および
【数２】
2009160376.tif 000044
である、ことを特徴とするゴルフクラブヘッド。
【請求項２】
前記打撃面は、約３，５００ｍｍ２から約４，５００ｍｍ２の面積を有することを特徴とする請求項１に記載のゴルフクラブヘッド。
【請求項３】
前記フェースは、前記ヘッドの基点ｚ軸に沿って厚さを有し、前記厚さは、約−１０ｍｍから約−３０ｍｍの第３の範囲、および約１０ｍｍから約３０ｍｍの第４の範囲内で、前記ｚ軸座標ｚの少なくとも５０％に対して、ｔｍｉｎからｔｍａｘであり、
【数３】
2009160376.tif 000045
および
【数４】
2009160376.tif 000046
である、ことを特徴とする請求項１に記載のゴルフクラブヘッド。
【請求項４】
前記第１および第２の範囲のそれぞれ１つ内の、前記フェースの第１の部分の前記厚さは、前記第１および第２の範囲のそれぞれ１つ内の、前記フェースの第２の部分より、少なくとも約２ｍｍ大きいことを特徴とする請求項１に記載のゴルフクラブヘッド。
【請求項５】
前記フェースの前記厚さは、前記第１および第２の範囲内の、前記ｘ軸座標ｘの少なくとも８０％に対して、ｔｍｉｎからｔｍａｘであることを特徴とする請求項１に記載のゴルフクラブヘッド。
【請求項６】
前記ゴルフクラブヘッドは、約２８０ｋｇ／ｍｍ２より大きい、前記ヘッドの基点ｘ軸に略平行の、前記ゴルフクラブヘッドの重心ｘ軸周囲に、慣性モーメントを有することを特徴とする請求項１に記載のゴルフクラブヘッド。
【請求項７】
前記ゴルフクラブヘッドは、約０．０ｍｍから約６．０ｍｍのｘ軸座標と、約０．０ｍｍから約−６．０ｍｍのｚ軸座標で重心を有することを特徴とする請求項１に記載のゴルフクラブヘッド。
【請求項８】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点で、理想的なインパクト位置を有する打撃面を画定し、前記ヘッドの基点は、前記ヘッドが理想的に配設されるとき、前記フェースに接線方向であり、地面に略平行であるｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ゴルフクラブヘッドは、約２８０ｋｇ／ｍｍ２より大きい、前記ヘッドの基点ｘ軸に略平行の、前記ゴルフクラブヘッドの重心ｘ軸周囲に、慣性モーメントを有し、
前記フェースは、前記ヘッドの基点ｚ軸に沿って厚さを有し、前記厚さは、約−１０ｍｍから約−３０ｍｍの第１の範囲、および約１０ｍｍから約３０ｍｍの第２の範囲内で、前記ｚ軸座標ｚの少なくとも５０％に対して、ｔｍｉｎからｔｍａｘであり、
【数５】
2009160376.tif 000047
および
【数６】
2009160376.tif 000048
である、ことを特徴とするゴルフクラブヘッド。
【請求項９】
前記打撃面は、約３，５００ｍｍ２から約４，５００ｍｍ２の面積を有することを特徴とする請求項８に記載のゴルフクラブヘッド。
【請求項１０】
前記フェースは、前記ヘッドの基点ｘ軸に沿って厚さを有し、前記厚さは、約−１０ｍｍから約−５０ｍｍの第３の範囲、および約１０ｍｍから約５０ｍｍの第４の範囲内で、前記ｘ軸座標ｘの少なくとも５０％に対して、ｔｍｉｎからｔｍａｘであり、
【数７】
2009160376.tif 000049
および
【数８】
2009160376.tif 000050
である、ことを特徴とする請求項８に記載のゴルフクラブヘッド。
【請求項１１】
前記第１および第２の範囲のそれぞれ１つ内の、前記フェースの第１の部分の前記厚さは、前記第１および第２の範囲のそれぞれ１つ内の、前記フェースの第２の部分より、少なくとも約２ｍｍ大きいことを特徴とする請求項８に記載のゴルフクラブヘッド。
【請求項１２】
前記フェースの前記厚さは、前記第１および第２の範囲内の、前記ｚ軸座標ｚの少なくとも８０％に対して、ｔｍｉｎからｔｍａｘであることを特徴とする請求項８に記載のゴルフクラブヘッド。
【請求項１３】
前記ゴルフクラブヘッドは、約４９０ｋｇ／ｍｍ２より大きい、前記ヘッドの基点ｚ軸に略平行の、前記ゴルフクラブヘッドの重心ｚ軸周囲に、慣性モーメントを有することを特徴とする請求項８に記載のゴルフクラブヘッド。
【請求項１４】
前記ゴルフクラブヘッドは、約０．０ｍｍから約６．０ｍｍのｘ軸座標と、約０．０ｍｍから約−６．０ｍｍのｚ軸座標で重心を有することを特徴とする請求項８に記載のゴルフクラブヘッド。
【請求項１５】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点で、理想的なインパクト位置を有する打撃面を画定し、前記ヘッドの基点は、前記ヘッドが理想的に配設されるとき、前記フェースに接線方向であり、地面に略平行であるｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ゴルフクラブヘッドは、約４９０ｋｇ／ｍｍ２より大きい、前記ヘッドの基点ｚ軸に略平行の、前記ゴルフクラブヘッドの重心ｚ軸周囲に、慣性モーメントと、約２８０ｋｇ／ｍｍ２より大きい、前記ヘッドの基点ｘ軸に略平行の、前記ゴルフクラブヘッドの重心ｘ軸周囲に、慣性モーメントとを有し、
前記フェースは、前記ゴルフクラブヘッドの基点に接線方向に、およびそこから放射状に外方に延在する、放射軸に沿って厚さを有し、前記厚さは、約１０ｍｍ以上および約５０ｍｍ以下の前記放射軸に沿って、前記ゴルフクラブヘッドの基点から離れた、距離ｒの少なくとも５０％に沿って、ｔｍｉｎからｔｍａｘであり、
【数９】
2009160376.tif 000051
および
【数１０】
2009160376.tif 000052
である、ことを特徴とするゴルフクラブヘッド。
【請求項１６】
前記打撃面は、約３，５００ｍｍ２から約４，５００ｍｍ２の面積を有することを特徴とする請求項１５に記載のゴルフクラブヘッド。
【請求項１７】
前記ゴルフクラブヘッドは、約０．０ｍｍから約６．０ｍｍのｘ軸座標と、約０．０ｍｍから約−６．０ｍｍのｚ軸座標で重心を有することを特徴とする請求項１５に記載のゴルフクラブヘッド。
【請求項１８】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点で、理想的なインパクト位置を有する打撃面を画定し、前記ヘッドの基点は、前記ヘッドが理想的に配設されるとき、前記フェースに接線方向であり、地面に略平行であるｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ゴルフクラブヘッドは、約４９０ｋｇ／ｍｍ２より大きい、前記ヘッドの基点ｚ軸に略平行の、前記ゴルフクラブヘッドの重心ｚ軸周囲に、慣性モーメントを有し、
前記フェースは、前記ヘッドの基点ｘ軸に沿って、曲げ剛性を有し、前記曲げ剛性は、約−１０ｍｍから約−５０ｍｍの第１の範囲、および約１０ｍｍから約５０ｍｍの第２の範囲内で、前記ｘ軸座標ｘの少なくとも５０％に対して、ＢＳｍｉｎからＢＳｍａｘであり、
【数１１】
2009160376.tif 000053
および
【数１２】
2009160376.tif 000054
である、ことを特徴とするゴルフクラブヘッド。
【請求項１９】
前記打撃面は、約３，５００ｍｍ２から約４，５００ｍｍ２の面積を有することを特徴とする請求項１８に記載のゴルフクラブヘッド。
【請求項２０】
前記ゴルフクラブヘッドは、約０．０ｍｍから約６．０ｍｍのｘ軸座標と、約０．０ｍｍから約−６．０ｍｍのｚ軸座標で重心を有することを特徴とする請求項１８に記載のゴルフクラブヘッド。
【請求項２１】
前記フェースは、前記ヘッドの基点ｘ軸に沿って厚さを有し、前記厚さは、約−１０ｍｍから約−５０ｍｍの第３の範囲、および約１０ｍｍから約５０ｍｍの第４の範囲内で、前記ｘ軸座標ｘの少なくとも５０％に対して、ｔｍｉｎからｔｍａｘであり、
【数１３】
2009160376.tif 000055
および
【数１４】
2009160376.tif 000056
である、ことを特徴とする請求項１８に記載のゴルフクラブヘッド。
【請求項２２】
前記フェースは、前記ヘッドの基点ｚ軸に沿って厚さを有し、前記厚さは、約−１０ｍｍから約−３０ｍｍの第３の範囲、および約１０ｍｍから約３０ｍｍの第４の範囲内で、前記ｚ軸座標ｚの少なくとも５０％に対して、ｔｍｉｎからｔｍａｘであり、
【数１５】
2009160376.tif 000057
および
【数１６】
2009160376.tif 000058
である、ことを特徴とする請求項１８に記載のゴルフクラブヘッド。
【請求項２３】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点で、理想的なインパクト位置を有する打撃面を画定し、前記ヘッドの基点は、前記ヘッドが理想的に配設されるとき、前記フェースに接線方向であり、地面に略平行であるｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、を備え、
前記ゴルフクラブヘッドは、約２８０ｋｇ／ｍｍ２より大きい、前記ヘッドの基点ｘ軸に略平行の、前記ゴルフクラブヘッドの重心ｘ軸周囲に、慣性モーメントを有し、
前記フェースは、前記ヘッドの基点ｚ軸に沿って、曲げ剛性を有し、前記曲げ剛性は、約−１０ｍｍから約−３０ｍｍの第１の範囲、および約１０ｍｍから約３０ｍｍの第２の範囲内で、前記ｚ軸座標ｚの少なくとも５０％に対して、ＢＳｍｉｎからＢＳｍａｘであり、
【数１７】
2009160376.tif 000059
および
【数１８】
2009160376.tif 000060
である、ことを特徴とするゴルフクラブヘッド。
【請求項２４】
前記打撃面は、約３，５００ｍｍ２から約４，５００ｍｍ２の面積を有することを特徴とする請求項２３に記載のゴルフクラブヘッド。
【請求項２５】
前記ゴルフクラブヘッドは、約０．０ｍｍから約６．０ｍｍのｘ軸座標と、約０．０ｍｍから約−６．０ｍｍのｚ軸座標で重心を有することを特徴とする請求項２３に記載のゴルフクラブヘッド。
【請求項２６】
前記フェースは、前記ヘッドの基点ｘ軸に沿って厚さを有し、前記厚さは、約−１０ｍｍから約−５０ｍｍの第３の範囲、および約１０ｍｍから約５０ｍｍの第４の範囲内で、前記ｘ軸座標ｘの少なくとも５０％に対して、ｔｍｉｎからｔｍａｘであり、
【数１９】
2009160376.tif 000061
および
【数２０】
2009160376.tif 000062
である、ことを特徴とする請求項２３に記載のゴルフクラブヘッド。
【請求項２７】
前記フェースは、前記ヘッドの基点ｚ軸に沿って厚さを有し、前記厚さは、約−１０ｍｍから約−３０ｍｍの第３の範囲、および約１０ｍｍから約３０ｍｍの第４の範囲内で、前記ｚ軸座標ｚの少なくとも５０％に対して、ｔｍｉｎからｔｍａｘであり、
【数２１】
2009160376.tif 000063
および
【数２２】
2009160376.tif 000064
である、ことを特徴とする請求項２３に記載のゴルフクラブヘッド。
【発明の詳細な説明】
【技術分野】
【０００１】
本願は、２００７年９月２７日出願の米国特許出願第１１／８６３，１９８号の一部継続出願であり、それは、参照することによって本願に組み込まれる。
ゴルフクラブヘッドに関する他の出願および特許は、２００７年１０月１２日出願の米国特許出願第１１／８７１，９３３号、２００５年２月２５日出願の米国特許出願第１１／０６７，４７５の継続出願である、すべてが２００７年１月３１に出願された、米国特許出願第１１／６６９，８９１号、米国特許出願第１１／６６９，８９４号、米国特許出願第１１／６６９，９００号、米国特許出願第１１／６６９，９０７号、米国特許出願第１１／６６９，９１０号、米国特許出願第１１／６６９，９１６号、米国特許出願第１１／６６９，９２０号、米国特許出願第１１／６６９，９２５号、および米国特許出願第１１／６６９，９２７号、２００４年２月２３日出願の米国特許出願第１０／７８５，６９２号の一部継続出願である、現在米国特許第７，１８６，１９０号、米国特許出願第１０／２９０，８１７号の一部継続出願である、現在米国特許第７，１６６，０４０号、現在米国特許第６，７７３，３６０号を含む。これらの出願は、参照することによって本願に組み込まれる。
【０００２】
本願は、ゴルフクラブヘッド、より詳しくは、他の利点もあるが、オフセンターのヒットに対し、増加した寛容度を提供するための機能を組み込んだゴルフクラブヘッドに関する。慣性モーメント、逆円錐型技術、およびクラブヘッドフェース特性の独特の組合せが記載される。
【背景技術】
【０００３】
ゴルフクラブヘッドの製造者および設計者は、ゴルフクラブヘッドの性能を改善する方法を常に求めており、それは、美的外観を有する一方で、ゴルフクラブヘッドの寛容度を含む。概して、「寛容度」は、ミスヒット、すなわちゴルフクラブヘッド上の理想的ではないインパクト位置で、ゴルフボールを打つことから起こるヒットの、クラブによって打たれるゴルフボールのショット形状および距離に対する影響を軽減するゴルフクラブヘッドの能力として定義することができる。
【０００４】
ゴルフクラブヘッドの性能は、クラブヘッドの慣性モーメントの影響を直接受ける可能性がある。慣性モーメントは、ゴルフボールとのインパクト時の、ゴルフクラブヘッドの重心周囲のねじれに対するクラブヘッドの耐性の大きさである。概して、ゴルフクラブヘッドの慣性モーメントが、より高いと、特に、ゴルフボールとの「オフセンター」のインパクトの間、ゴルフクラブヘッドは、ゴルフボールとのインパクト時のねじれを、より小さくし、ゴルフクラブヘッドの寛容度、およびストレートなゴルフショットを打つ確率が、より大きくなる。さらに、より高い慣性モーメントは、通常ゴルフクラブヘッドとのインパクトによって、より速いボールスピードをもたらし、それは、ゴルフショット距離の増加につながることができる。
【０００５】
概して、所定の軸周囲の質量の慣性モーメントは、軸からの質量の距離の２乗に比例する。つまり、所定の軸からの質量の距離がより大きいと、所定の軸周囲の質量の慣性モーメントは、より大きくなる。したがって、ゴルフクラブヘッドの設計者、および製造者は、対象の軸からの、ヘッドの質量の距離を増加させることによって、通常、ゴルフクラブヘッドの重心を介して延在する軸である、１つ以上のゴルフクラブヘッドの軸周囲の慣性モーメントを、増加させようと努めてきた。
【０００６】
ゴルフクラブヘッドの寛容度を増加させるために、ゴルフクラブヘッドの打撃面のサイズに、重点的に取り組んできたゴルフクラブヘッドの製造者もいる。概して、打撃面がより大きいと、ゴルフクラブヘッドの寛容度は、より大きくなる。しかしながら、打撃面の耐久性を維持するために、打撃面のサイズを増加することは、通常、打撃面を画定するフェース、例えばフェースプレートの厚さを増加する必要があり、それは、打撃面の反発係数（ＣＯＲ）、またはボールを跳ね返す打撃面の能力、例えば、表面のスプリング効果の大きさに直接的な影響を及ぼす。簡略化された形で、ＣＯＲは、Ｕｎｉｔｅｄ  Ｓｔａｔｅｓ  Ｇｏｌｆ  Ａｓｓｏｃｉａｔｉｏｎのガイドラインに準拠するゴルフボールのスピード、およびクラブヘッドのスピードの測定によって、ゴルフボールとのインパクト時の、クラブヘッドのスピードで割った、クラブヘッドで打たれた直後の、ゴルフボールのスピードの割合として、表すことができる。
【０００７】
ゴルフクラブヘッドの形状、サイズおよび他の特性に関する、Ｕｎｉｔｅｄ  Ｓｔａｔｅｓ  Ｇｏｌｆ  Ａｓｓｏｃｉａｔｉｏｎ（ＵＳＧＡ）の規定、および制約は、ゴルフクラブヘッドによって達成可能な慣性モーメント、およびＣＯＲを制限する傾向がある。ＵＳＧＡ規定の最新版によると、ゴルフクラブヘッドは、とりわけ略単純な形状で、最大包絡寸法（最大２．８ｉｎｃｈの高さ、最大５．０ｉｎｃｈの幅、および最大５．０ｉｎｃｈの深さ）以下の包絡寸法を有し、最大４７０ｃｍ３のヘッドの体積以下の体積を有しなければならない。留意すべきは、この最大４７０ｃｍ３の体積の制限は、最大包絡寸法の体積をはるかに下回っていることである。ここで留意すべきは、４７０ｃｍ３のＵＳＧＡの制限は、１０ｃｍ３の許容範囲（すなわち、４６０ｃｍ３＋１０ｃｍ３）を含むことである。さらに、ＵＳＧＡ規定は、ＣＯＲ値が０．８３０未満であること、または２５７マイクロ秒未満の振動特性時間（ＰＣＴ）を有することを要求する。識別されたばかりのＣＯＲおよびＰＣＴの制限は、許容範囲をそれぞれ含む。
【０００８】
ゴルフクラブの製造者は、別のものを犠牲にして、１つの性能特性を向上させる選択肢に直面する場合が多い。例えば、寛容度を助長するために、打撃面のサイズの増加を犠牲にして、慣性モーメントの増加に重点を置く、従来のゴルフクラブヘッドもある。これらのゴルフクラブヘッドでは、可能な限りのゴルフクラブヘッドの質量が、重心から離れて移動する。しかしながら、望ましいスイングウェート（例えば、ドライバーのクラブヘッドの質量は、通常、約１８５ｇから約２１５ｇに及ぶ）を達成しようとすることに起因する質量の制限によって、重心から離れて分布される質量がより大きいと、フェースに使用可能な質量は、より小さくなる。フェースに使用可能な質量がより小さいと、ＣＯＲおよびＰＣＴを規定するＵＳＧＡ制約内にとどまるために、ゴルフクラブヘッドのフェースの厚さ、したがって、クラブヘッド打撃面のサイズは、制限される。したがって、これらの従来のゴルフクラブヘッドでは、ヘッドの寛容度は、慣性モーメントの増加によって向上することができるが、ゴルフクラブヘッドの打撃面のサイズに対する、結果として生じる制約によって制限される。
【０００９】
反対に、寛容度を助長するために、慣性モーメントの増加を犠牲にし、望ましい重心（「ＣＧ」）特性をも潜在的に犠牲にして、ゴルフクラブヘッドの打撃面のサイズの増加に重点を置く従来のゴルフクラブヘッドもある。上記のように、従来のフェース設計では、打撃面のサイズがより大きいと、ＵＳＧＡ制約に準拠するために、フェースはより厚く、より重くならなくてはならない。フェースに対する質量がより大きいと、通常、重心に近い質量はより大きく、重心から離れた移動に利用可能な、例えば、裁量質量などの質量はより小さい。したがって、これらの従来のゴルフクラブヘッドでは、ヘッドの寛容度は、打撃面のサイズの増加によって増加することができるが、達成可能な慣性モーメントに対する、結果として生じる制約によって制限される。
【００１０】
上記のように、ゴルフクラブの設計者および製造者は、寛容度の改善のために、高い慣性モーメント、および大きい打撃面のサイズの両方を有するＵＳＧＡ適合ゴルフクラブヘッドを設計しようと努力してきた。
【発明の開示】
【課題を解決するための手段】
【００１１】
本願は、少なくとも前述のものを扱い、とりわけ、改善された寛容度を提供するゴルフクラブヘッドを開示する。
本願は、内部空洞を画定するボディを含む、ゴルフクラブヘッドを記載する。また、ゴルフクラブヘッドは、ゴルフクラブヘッドの底部に配設されるソール、頂部に配設されるクラウン、およびソールとクラウンとの間の外面周囲に配設されるスカートを含む。ボディは、前部および後部を有する。さらに、ゴルフクラブヘッドは、ボディの前部に配設されるフェースを含み、フェースは、ゴルフクラブヘッドの基点で理想的なインパクト位置を有する打撃面を画定する。ヘッドの基点は、ヘッドが理想的に配設されるとき、フェースに接線方向であり、地面に略平行のｘ軸、ヘッドが理想的に配設されるとき、ｘ軸に略垂直であり、地面に略平行のｙ軸、ならびにｘ軸、およびｙ軸の両方に垂直であるｚ軸を含む。軸に対する正の方向は、トウからヒールであり、ｙ軸に対しては前から後ろ、ｚ軸に対してはソールからクラウンである。
【００１２】
第１の側面によると、本願は、約４９０ｋｇ／ｍｍ２よりも大きい、ヘッドの基点ｚ軸に略平行のゴルフクラブヘッドの重心ｚ軸周囲に、慣性モーメントを有するゴルフクラブヘッドを記述する。フェースは、約−１０ｍｍから約−５０ｍｍの第１の範囲、および約１０ｍｍから約５０ｍｍの第２の範囲内で、ｘ軸座標ｘの少なくとも５０％に対してｔｍｉｎからｔｍａｘである、ヘッドの基点ｘ軸に沿った厚さを有し、
【００１３】
【数１】
2009160376.tif 000003
および
【００１４】
【数２】
2009160376.tif 000004
である。
【００１５】
第１および第２の範囲のそれぞれ１つ内の、フェースの第１の部分の厚さは、第１および第２の範囲のそれぞれ１つ内の、フェースの第２の部分よりも、少なくとも約２ｍｍ大きいことが可能である。
【００１６】
場合によっては、フェースは、第１および第２の範囲内で、ｘ軸座標ｘの少なくとも８０％に対して、ｔｍｉｎからｔｍａｘであることが可能である。
第１の側面によるゴルフクラブヘッドは、約２８０ｋｇ／ｍｍ２よりも大きい、ヘッドの基点ｘ軸に略平行のゴルフクラブヘッドの重心ｘ軸周囲に、慣性モーメントを有することができる。
【００１７】
第１の側面のゴルフクラブヘッドは、約０．０ｍｍから約６．０ｍｍのｘ軸座標、および約０．０ｍｍから約−６．０ｍｍのｚ軸座標で重心を有することができる。
いくつかの実施形態では、打撃面は、約３５，０００ｍｍ２から約４，５００ｍｍ２の面積を有する。
【００１８】
また、フェースは、約−１０ｍｍから約−３０ｍｍの第３の範囲、および約１０ｍｍから約３０ｍｍの第４の範囲内で、ｚ軸座標ｚの少なくとも５０％に対してｔｍｉｎからｔｍａｘである、ヘッドの基点ｚ軸に沿った厚さを有することができ、
【００１９】
【数３】
2009160376.tif 000005
および
【００２０】
【数４】
2009160376.tif 000006
である。
【００２１】
第２の側面によると、本願は、約２８０ｋｇ／ｍｍ２よりも大きい、ヘッドの基点ｘ軸に略平行のゴルフクラブヘッドの重心ｘ軸周囲に、慣性モーメントを有するゴルフクラブヘッドを記述する。フェースは、約−１０ｍｍから約−３０ｍｍの第１の範囲、および約１０ｍｍから約３０ｍｍの第２の範囲内で、ｚ軸座標ｚの少なくとも５０％に対してｔｍｉｎからｔｍａｘである、ヘッドの基点ｚ軸に沿った厚さを有し、
【００２２】
【数５】
2009160376.tif 000007
および
【００２３】
【数６】
2009160376.tif 000008
である。
【００２４】
第２の側面によるゴルフクラブに対して、第１および第２の範囲のそれぞれ１つ内の、フェースの第１の部分の厚さは、第１および第２の範囲のそれぞれ１つ内の、フェースの第２の部分よりも、少なくとも約２ｍｍ大きいことが可能である。
【００２５】
フェースの厚さは、第１および第２の範囲内で、ｚ軸座標ｚの少なくとも８０％に対して、ｔｍｉｎからｔｍａｘであることが可能である。
第２の側面によるゴルフクラブの打撃面は、約３，５００ｍｍ２から約４，５００ｍｍ２の面積を有することができる。
【００２６】
第２の側面によるゴルフクラブのフェースは、約−１０ｍｍから約−５０ｍｍの第３の範囲、および約１０ｍｍから約５０ｍｍの第４の範囲内で、ｘ軸座標ｘの少なくとも５０％対してｔｍｉｎからｔｍａｘである、ヘッドの基点ｘ軸に沿った厚さを有することができ、
【００２７】
【数７】
2009160376.tif 000009
および
【００２８】
【数８】
2009160376.tif 000010
である。
【００２９】
第２の側面によるいくつかの実施形態は、約４９０ｋｇ／ｍｍ２よりも大きい、ヘッドの基点ｚ軸に略平行のゴルフクラブヘッドの重心ｚ軸周囲に、慣性モーメントを有する。いくつかの実施形態は、約０．０ｍｍから約６．０ｍｍのｘ軸座標、および約０．０ｍｍから約−６．０ｍｍのｚ軸座標で重心を有する。
【００３０】
第３の側面によると、本願は、約４９０ｋｇ／ｍｍ２よりも大きい、ヘッドの基点ｚ軸に略平行のゴルフクラブヘッドの重心ｚ軸周囲に、慣性モーメント、および約２８０ｋｇ／ｍｍ２よりも大きい、ヘッドの基点ｘ軸に略平行のゴルフクラブヘッドの重心ｘ軸周囲に、慣性モーメントを有する、ゴルフクラブヘッドを記述する。フェースは、約１０ｍｍ以上および約５０ｍｍ以下の放射軸に沿って、ゴルフクラブヘッドの基点から離れた、距離ｒの少なくとも５０％に沿ってｔｍｉｎからｔｍａｘである、ゴルフクラブヘッドの基点に接線方向に、およびそこから放射状に外方に延在する、放射軸に沿った厚さを有し、
【００３１】
【数９】
2009160376.tif 000011
および
【００３２】
【数１０】
2009160376.tif 000012
である。
【００３３】
第３の側面によるゴルフクラブヘッドは、約３，５００ｍｍ２から約４，５００ｍｍ２の打撃面積を有することができる。第３の側面のゴルフクラブヘッドは、約０．０ｍｍから約６．０ｍｍのｘ軸座標、および約０．０ｍｍから約−６．０ｍｍのｚ軸座標で重心を有することができる。
【００３４】
第４の側面によると、約５００ｋｇ／ｍｍ２よりも大きい、ヘッドの基点ｚ軸に略平行のゴルフクラブヘッドの重心ｚ軸周囲に、慣性モーメントを有するゴルフクラブヘッドが開示される。第４の側面によるゴルフクラブヘッドのフェースは、ヘッドの基点ｘ軸に沿って曲げ剛性を有し、曲げ剛性は、約−１０ｍｍから約−５０ｍｍの第１の範囲、および約１０ｍｍから約５０ｍｍの第２の範囲内で、ｘ軸座標ｘの少なくとも５０％に対してＢＳｍｉｎからＢＳｍａｘであり、
【００３５】
【数１１】
2009160376.tif 000013
および
【００３６】
【数１２】
2009160376.tif 000014
である。
【００３７】
第４の側面に従って、場合によっては、フェースは、ヘッドの基点ｘ軸に沿って厚さを有し、厚さは、約−１０ｍｍから約−５０ｍｍの第３の範囲、および約１０ｍｍから約５０ｍｍの第４の範囲内で、ｘ軸座標ｘの少なくとも５０％に対してｔｍｉｎからｔｍａｘであり、
【００３８】
【数１３】
2009160376.tif 000015
および
【００３９】
【数１４】
2009160376.tif 000016
である。
【００４０】
フェースは、ヘッドの基点ｚ軸に沿って厚さを有することができ、厚さは、約−１０ｍｍから約−３０ｍｍの第３の範囲、および約１０ｍｍから約３０ｍｍの第４の範囲内で、ｚ軸座標ｚの少なくとも５０％に対してｔｍｉｎからｔｍａｘであり、
【００４１】
【数１５】
2009160376.tif 000017
および
【００４２】
【数１６】
2009160376.tif 000018
である。
【００４３】
打撃面は、約３，５００ｍｍ２から約４，５００ｍｍ２の面積を有することができる。
ゴルフクラブヘッドは、約０．０ｍｍから約６．０ｍｍのｘ軸座標、および約０．０ｍｍから約−６．０ｍｍのｚ軸座標で重心を有することができる。
【００４４】
第５の側面によるゴルフクラブヘッドは、約２８０ｋｇ／ｍｍ２よりも大きい、ヘッドの基点ｘ軸に略平行のゴルフクラブヘッドの重心ｘ軸周囲に、慣性モーメントを有する。フェースは、ヘッドの基点ｚ軸に沿って曲げ剛性を有し、曲げ剛性は、約−１０ｍｍから約−３０ｍｍの第１の範囲、および約１０ｍｍから約３０ｍｍの第２の範囲内で、ｚ軸座標ｚの少なくとも５０％に対してＢＳｍｉｎからＢＳｍａｘであり、
【００４５】
【数１７】
2009160376.tif 000019
および
【００４６】
【数１８】
2009160376.tif 000020
である。
【００４７】
第５の側面によるゴルフクラブヘッドは、ヘッドの基点ｘ軸に沿って厚さを有することができ、約−１０ｍｍから約−５０ｍｍの第３の範囲、および約１０ｍｍから約５０ｍｍの第４の範囲内で、ｘ軸座標ｘの少なくとも５０％に対してｔｍｉｎからｔｍａｘであり、
【００４８】
【数１９】
2009160376.tif 000021
および
【００４９】
【数２０】
2009160376.tif 000022
である。
【００５０】
いくつかの実施形態におけるフェースは、ヘッドの基点ｚ軸に沿って厚さを有し、厚さは、約−１０ｍｍから約−３０ｍｍの第３の範囲、および約１０ｍｍから約３０ｍｍの第４の範囲内で、ｚ軸座標ｚの少なくとも５０％に対してｔｍｉｎからｔｍａｘであり、
【００５１】
【数２１】
2009160376.tif 000023
および
【００５２】
【数２２】
2009160376.tif 000024
である。
【００５３】
打撃面は、約３，５００ｍｍ２から約４，５００ｍｍ２の面積を有することができる。
第５の側面のゴルフクラブヘッドは、約０．０ｍｍから約６．０ｍｍのｘ軸座標、および約０．０ｍｍから約−６．０ｍｍのｚ軸座標で重心を有することができる。
【００５４】
ゴルフクラブヘッドの先述の、および他の機能、および有利点は、以下の詳細な説明からより明らかとなり、それは、添付の図面を参照して進められる。
【発明を実施するための最良の形態】
【００５５】
以下の説明では、「上方」、「下方」、「上部」、「下部」、「水平」、「垂直」、「左」、「右」など、特定の用語を使用する場合がある。これらの用語は、特に、図示される実施形態に関して、相対関係を取り扱う際、妥当な場合、説明の多少の明確さを提供するために使用される。しかしながら、これらの用語は、絶対的な関係、位置、および／または方向を意味することを、意図しない。例えば、物体に関して、「上部」表面は、単純に、物体を裏返すことによって、「下部」表面になることができる。それでもなお、それは、同一の物体である。
【００５６】
図１〜８に図示されるように、ゴルフクラブヘッド２など、ウッド型（例えば、ドライバー、またはフェアウェイウッド）ゴルフクラブヘッドは、中空ボディ１０を含む。ボディ１０は、内部空洞７９（図７〜８を参照）を画定する、クラウン１２、ソール１４、スカート１６、打撃フェースまたはフェース部１８を含む。ボディ１０は、ホーゼル２０を含むことができ、それは、ゴルフクラブのシャフトを収容するように構成される、ホーゼル穴２４（図６を参照）を画定する。ボディ１０は、ヒール部２６、トウ部２８、フロント部３０、およびリア部３２をさらに含む。また、ゴルフクラブヘッド２は、クラブヘッド２の体積変位に等しい、立法センチメートル（ｃｍ３）で通常測定される、体積を有する。いくつかの実施形態において、ゴルフクラブヘッド２は、約４００ｃｍ３から約４９０ｃｍ３の体積、および約１８５ｇから約２１５ｇの全質量を有する。図１を参照すると、具体的な一実施形態において、ゴルフクラブヘッド２は、約４５８ｃｍ３の体積、および約２００ｇの全質量を有する。
【００５７】
クラウン１２は、（１）上下方向から見ると、ゴルフクラブヘッド２の周辺輪郭３４の上方にあり、（２）打撃フェース１８の、ボール打撃面２２の最上部後方にある、ゴルフクラブヘッド２の上部として画定される（図６を参照）。ボール打撃面２２は、打撃フェース１８の前部表面、または外部表面として画定され、ゴルフボールに衝撃を与えるように構成される（図示せず）。いくつかの実施形態では、以下により詳しく記述されるように、打撃フェースまたはフェース部１８は、溶接などの従来の接合技術を使用して、ボディ１０に接合される、打撃プレートであることが可能である。一部の実施形態では、ボール打撃面２２は、膨らみ、および起伏の湾曲部を有することができる。例えば、図５および６を参照すると、ボール打撃面２２は、それぞれ半径約３０５ｍｍの、膨らみ、および起伏を有することができる。
【００５８】
ソール１４は、クラブヘッドが理想的に配設されるとき、すなわち、水平面上で、ゴルフボールに対して、適切なアドレス位置にあるとき、クラブヘッドの最下点から、上方に延在するゴルフクラブヘッド２の下部として、画定される。一部の実施形態において、ソール１４は、ゴルフクラブヘッド２の最下点から、クラウン１２までの距離の、約５０％から６０％延在し、それは、場合によっては、ドライバーに対して約１５ｍｍ、およびフェアウェイウッドに対して、約１０ｍｍから１２ｍｍである可能性がある。
【００５９】
スコアラインが実質的に水平（例えば、地面１７にほぼ平行）になり、標的ラインに対するフェース角度が、実質的に直角（例えば、ボール打撃面２２の幾何学的中心に垂直である、ベクトルの水平分力）になるように、クラブヘッド２などのゴルフクラブヘッドは、ホーゼル２０、またはシャフトの縦軸２１が、標的方向に実質的に垂直であり、適切なライ角１９であるとき、その適切なアドレス位置にある。フェース部１８が、水平のスコアラインを有さない場合、適切なライ角１９は、約６０度に設定される。ロフト角度１５は、ボール打撃面２２上の理想的なインパクト位置２３に、接線の面として画定されるフェース面２７と、ゴルフクラブヘッド２が適切なアドレス位置にあるとき、地面１７に対する垂直面２９との間に画定される角度である。ライ角１９は、ゴルフクラブヘッド２が適切なアドレス位置にあるとき、ホーゼル２０、またはシャフトの縦軸２１と、地面１７との間に画定される角度である。本願において、地面１７は、水平面であると仮定される。
【００６０】
スカート１６は、ボール打撃面２２を除く、トウ部２８から、リア部３２周囲に、ヒール部２６まで、ゴルフクラブヘッド２の外面３４に延在する、クラウン１２とソール１４との間のゴルフクラブヘッド２の側部を含む。
【００６１】
図示される実施形態では、ゴルフクラブヘッド２の理想的なインパクト位置２３は、ボール打撃面２２の幾何学的中心（図４を参照）に配置される。理想的なインパクト位置２３は、通常、打撃面２２の高さ（Ｈｓｓ）、および幅（Ｗｓｓ）の中点の交差点として、画定される。ＨｓｓおよびＷｓｓの両方は、打撃フェースの曲面（Ｓｓｓ）を使用して決定される。打撃フェースの曲面は、フェースが、実質的に均一の膨らみの半径（湾曲部のフェースのヒールからトウの半径）、および実質的に均一の起伏の半径（湾曲部のフェースのクラウンからソールの半径）から、ボディへ移行するすべての点によって、その外面に隣接する（例えば、図４を参照）。図示される実施例では、Ｈｓｓは、フェース（例えば、本平面は、ｘ軸に実質的に垂直）の幾何学的中心を介して延在する、垂直面（地面に垂直）で測定される、Ｓｓｓのソール部に隣接した外面から、Ｓｓｓのクラウン部に隣接した外面までの距離である。同様に、Ｗｓｓは、フェース（例えば、本平面は、ｚ軸に実質的に垂直）の幾何学的中心を介して延在する、水平面（例えば、地面に実質的に平行）で測定される、Ｓｓｓのヒール部に隣接した外面から、Ｓｓｓのトウ部に隣接した外面までの距離である。打撃フェースの幾何学的中心を測定するための手順に関しては、ＵＳＧＡ“Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ，”Ｒｅｖｉｓｉｏｎ  ２．０を参照。いくつかの実施形態では、ゴルフクラブヘッド２のフェース、またはボール打撃面２２は、約４５ｍｍから約６５ｍｍの高さ（Ｈｓｓ）、および約７５ｍｍから約１０５ｍｍの幅（Ｗｓｓ）を有する。図４を参照すると、具体的な一実施形態では、ボール打撃面２２は、約５２．２ｍｍの高さ（Ｈｓｓ）、約９０．６ｍｍの幅（Ｗｓｓ）、および約３，９２９ｍｍ２の総打撃面積を有する。
【００６２】
いくつかの実施形態では、打撃フェース１８は、米国特許出願公開第２００５／０２３９５７５号、および第２００４／０２３５５８４号、米国特許出願第１１／６４２，３１０号、および米国仮特許出願第６０／８７７，３３６号に記載されるような、複合材料で作製され、それらは、参照することによって本願に組み込まれる。他の実施形態では、打撃フェース１８は、合金（例えば、チタン、スチール、アルミニウム、および／またはマグネシウム）、セラミック材料、または合成物、合金、および／もしくはセラミック材料の組合せから作製される。
【００６３】
打撃フェース１８は、参照することによって本願に組み込まれる米国特許第６，９９７，８２０号に記載されるような、変厚を有する打撃プレートであることが可能である。例えば、図７および８に示されるように、打撃フェース１８は、ゴルフクラブヘッド２のボール打撃面２２、または外側表面と、内部空洞４３に面する内側表面４０との間に画定される、厚さｔを有する。打撃フェース１８は、ボール打撃面２２上の理想的なインパクト位置２６に隣接して配設される、中心部４２を含むことができる。中心部４２は、実質的に一定な厚さｔを有することができる。また、打撃フェース１８は、中心部４２から放射状に外方に延在する、発散部４４を含むことができる。例えば、図９〜１６を参照。発散部４４の厚さｔは、中心部から放射状に外方に増加する。打撃フェース１８は、移行部４８を介して発散部４４に連結している、収束部４６を含む。収束部４６の厚さｔは、発散部４４、および移行部４８から放射状に外方の位置で、実質的に減少する。場合によっては、移行部４８は、発散および収束部４４、４６の間の頂点である。他の実施形態では、移行部４８は、発散部４４から放射状に外方に延在し、実質的に一定な厚さｔを有する（図９〜１１を参照）。
【００６４】
いくつかの実施形態では、理想的なインパクト位置２３で、打撃面に垂直に延在するいかなる軸に沿った、打撃フェース１８の断面プロファイルは、図９〜１１の場合と実質的に同様である。
【００６５】
他の実施形態では、断面プロファイルは、異なることが可能であり、例えば、非対称である。例えば、特定の実施形態では、ヘッドの基点ｚ軸に沿った打撃フェース１８の断面プロファイルは、上記のように中心、移行、発散、および収束部を含んでもよい（図９〜１１、および１３を参照）。しかしながら、ヘッドの基点ｘ軸に沿った、打撃フェース１８の断面プロファイルは、収束部４６から放射状に延在し、移行部４９を介して収束部に連結している、第２の発散部４７を含むことができる。代替実施形態では、ヘッドの基点ｚ軸に沿った、打撃フェース１８の断面プロファイルは、ヘッドの基点ｘ軸に沿った変化に関して上述されるように、収束部から放射状に延在し、収束部に連結している第２の発散部を含むことができる。
【００６６】
軸に沿った打撃フェースの幾何学的中心からの距離による、打撃フェース１８の厚さの変化を決定することができる。典型的な一実施形態によると、１０ｍｍ≦｜ｘ｜≦５０ｍｍの有効範囲内の、ヘッドの基点ｘ軸に沿った打撃フェース１８の最小厚さｔｍｉｎ、最大厚さｔｍａｘ、および呼び厚さｔｎｏｍを、以下の方程式から決定することができる。
【００６７】
【数２３】
2009160376.tif 000025
【００６８】
【数２４】
2009160376.tif 000026
【００６９】
【数２５】
2009160376.tif 000027
【００７０】
図１２を参照すると、方程式１〜３を使用して得られる、典型的な厚さプロファイルが示される。約０ｍｍ≦｜ｘ｜≦１０ｍｍの、有効範囲未満の打撃フェース１８の部分が、フェースのＣＯＲにより少ない影響を及ぼす可能性があるため、有効範囲は、打撃フェース１８の幾何学的中心から約１０ｍｍ離れて始まる。しかしながら、特定の例示的な実施形態では、有効範囲未満の打撃フェース１８の厚さｔは、約２ｍｍから約５ｍｍであり、場合によっては、中心部４２で約３ｍｍであることが可能である。また、有効範囲の１００％に沿ったｔｍｉｎおよびｔｍａｘによって境界される、すなわち、その範囲に入る打撃フェース１８の、例示的な実施形態に対する厚さプロファイルが、図１２に示される。
【００７１】
上記と同様に、１０ｍｍ≦｜ｘ｜≦３０ｍｍの有効範囲内の、ヘッドの基点ｚ軸に沿った打撃フェース１８の最小厚さｔｍｉｎ、最大厚さｔｍａｘ、および呼び厚さｔｎｏｍを、以下の方程式によって決定することができる。
【００７２】
【数２６】
2009160376.tif 000028
【００７３】
【数２７】
2009160376.tif 000029
【００７４】
【数２８】
2009160376.tif 000030
【００７５】
図１３を参照すると、方程式４〜６を使用して得られる、典型的な厚さプロファイルが示される。ヘッドの基点ｘ軸に沿った有効範囲と同様に、ヘッドの基点ｚ軸に沿った有効範囲は、約０ｍｍ≦｜ｘ｜≦１０ｍｍの、有効範囲未満の打撃フェース１８の部分が、フェースのＣＯＲにより少ない影響を及ぼす可能性があるため、打撃フェース１８の幾何学的中心から約１０ｍｍ離れて始まる。また、有効範囲の１００％に沿ったｔｍｉｎおよびｔｍａｘによって境界される、すなわち、その範囲に入る打撃フェース１８の、例示的な実施形態に対する厚さプロファイルが、図２に示される。
【００７６】
いくつかの実施形態では、上記の方程式および制約は、ゴルフクラブヘッド２の基点から離れた半径方向距離に関して、定義することができる。例えば、ゴルフクラブヘッド２の基点から離れた距離ｒに関して、打撃フェース１８の最小厚さｔｍｉｎ、最大厚さｔｍａｘ、および呼び厚さｔｎｏｍは、以下の方程式によって決定することができる。
【００７７】
【数２９】
2009160376.tif 000031
【００７８】
【数３０】
2009160376.tif 000032
【００７９】
【数３１】
2009160376.tif 000033
【００８０】
式中、ｒは、ゴルフクラブヘッド２の基点から約１０ｍｍ以上離れた距離である。
一定の厚さのフェースと比較すると、ｘ軸およびｚ軸に沿った呼び厚さプロファイルは、打撃フェース１８の重量を減少させ、フェースのＣＯＲゾーンを増加させ、ＵＳＧＡのＣＯＲ制約を満たす、より大きく、より寛容なフェースを提供するための、好ましい厚さプロファイルを表す。しかしながら、有効範囲の所定の部分に沿った、ｘ軸およびｚ軸のそれぞれに対する、最小および最大厚さプロファイルによって境界される、ｘ軸およびｚ軸に沿った厚さプロファイルを有するフェースによって、同一、または同様の利点を得ることができる。例えば、特定の実施形態によると、打撃フェース１８は、有効なｘ軸範囲の少なくとも５０％に沿った、最小および最大厚さプロファイルによって境界される、基点ｘ軸に沿った厚さプロファイルを有することができる。同様に、打撃フェース１８は、有効なｚ軸範囲の少なくとも５０％に沿った、最小および最大厚さプロファイルによって境界される、基点ｚ軸に沿った厚さプロファイルを有することができる。より具体的な実施形態では、打撃フェース１８の厚さプロファイルは、有効な軸範囲の少なくとも６０％、７０％、８０％、または９０％に沿った、最小および最大厚さプロファイルによって境界される。
【００８１】
図示される実施形態では、ゴルフクラブヘッド２の打撃フェース１８は、ｘ軸（図１１を参照）、およびｚ軸（図１０を参照）に沿って、厚さプロファイルを有する。打撃フェース１８のｘ軸に沿った厚さプロファイルは、有効なｘ軸範囲の約７１％に沿った、最小および最大厚さプロファイルによって境界される。同様に、打撃フェース１８のｚ軸に沿った厚さプロファイルは、有効なｚ軸範囲約６５％に沿った、最小および最大厚さプロファイルによって境界される。
【００８２】
例示的な一実施形態では、打撃フェース１８は、チタンなど、等方性モノリス材料から作製される。等方性モノリス材料に対する曲げ剛性（ＢＳ）は、材料の弾性（Ｅ）および厚さの係数に比例し、以下の方程式によって決定することができる。
【００８３】
【数３２】
2009160376.tif 000034
【００８４】
式中、ｔは、打撃フェース１８の厚さである。
チタンの弾性の係数を、約１．１・１０５（Ｎ／ｍｍ２）と仮定すると、約１０ｍｍ≦｜ｘ｜≦５０ｍｍの有効範囲内の、ヘッドの基点ｘ軸に沿った打撃フェース１８の最小、最大、および呼び曲げ剛性ＢＳは、以下の方程式によって決定することができる。
【００８５】
【数３３】
2009160376.tif 000035
【００８６】
【数３４】
2009160376.tif 000036
【００８７】
【数３５】
2009160376.tif 000037
【００８８】
図１４〜１５を参照すると、方程式１１〜１３を使用して得られる、典型的な曲げ剛性プロファイルが示される。約０ｍｍ≦｜ｘ｜≦１０ｍｍの、有効範囲未満の打撃フェース１８の部分が、フェースの剛性に比較的小さい影響を及ぼすため、有効範囲は、打撃フェース２０の幾何学的中心から約１０ｍｍ離れて始まる。しかしながら、特定の例示的実施形態では、有効範囲未満のフェース１８の曲げ剛性は、約９・１０５Ｎ・ｍｍから約１．４０・１０７Ｎ・ｍｍであり、場合によっては、中心部４２で約３．０・１０６Ｎ・ｍｍであることが可能である。また、有効なｘ軸範囲の１００％に沿ったＢＳｍｉｎおよびＢＳｍａｘによって境界される、打撃フェース１８の例示的な実施形態に対する、曲げ剛性プロファイルを図１４に示す。
【００８９】
同様に、約１０ｍｍ≦｜ｘ｜≦３０ｍｍの有効範囲内の、ヘッドの基点ｚ軸に沿った打撃フェース１８の最小、最大、および呼び曲げ剛性ＢＳは、以下の方程式によって決定することができる（この場合も同様に、約１．１・１０５Ｎ／ｍｍ２のヤング係数を有する、チタンを仮定して）。
【００９０】
【数３６】
2009160376.tif 000038
【００９１】
【数３７】
2009160376.tif 000039
【００９２】
【数３８】
2009160376.tif 000040
【００９３】
図１５を参照すると、方程式１４〜１６を使用して得られる、典型的な曲げ剛性プロファイルが示される。ヘッドの基点ｘ軸に沿った有効範囲と同様に、ヘッドの基点ｚ軸に沿った有効範囲は、約０ｍｍ≦｜ｚ｜≦１０ｍｍの、有効範囲未満の打撃フェース１８の部分が、フェースの剛性に比較的小さい影響を及ぼすため、打撃フェース１８の幾何学的中心から約１０ｍｍ離れて始まる。また、有効なｚ軸範囲の１００％に沿った、ＢＳｍｉｎからＢＳｍａｘによって境界される、打撃フェース１８の例示的な実施形態に対する、曲げ剛性プロファイルを図１５に示す。
【００９４】
一定の厚さのフェースと比較すると、ｘ軸およびｚ軸に沿った曲げ剛性プロファイルは、より寛容なフェースのための剛性分布を増加させるために、好ましい曲げ剛性プロファイルを表す。しかしながら、有効範囲の所定の部分に沿った、ｘ軸およびｚ軸のそれぞれに対する、最小および最大厚さプロファイルによって境界される、ｘ軸およびｚ軸に沿った曲げ剛性プロファイルを有するフェースによって、同一、または同様の利点を得ることができる。例えば、特定の実施形態によると、打撃フェース１８は、有効なｘ軸範囲の少なくとも５０％に沿った、最小および最大曲げ剛性プロファイルによって境界される、基点ｘ軸に沿った曲げ剛性プロファイルを有することができる。同様に、打撃フェース１８は、有効なｚ軸範囲の少なくとも５０％に沿った、最小および最大曲げ剛性プロファイルによって境界される、基点ｚ軸に沿った曲げ剛性プロファイルを有することができる。より具体的な実施形態では、打撃フェース１８の曲げ剛性プロファイルは、有効な軸範囲の少なくとも６０％、７０％、８０％、または９０％に沿った、最小および最大曲げ剛性プロファイルによって境界される。
【００９５】
曲げ剛性プロファイルが、厚さプロファイルによって異なるため、ゴルフクラブヘッド２の打撃フェース１８は、有効なｘ軸範囲の約７１％に沿った、最小および最大曲げ剛性プロファイルによって境界される、ｘ軸に沿った曲げ剛性プロファイルを有する。同様に、打撃フェース１８のｚ軸に沿った曲げ剛性プロファイルは、同様に有効なｚ軸範囲の約６５％に沿った、最小および最大曲げ剛性プロファイルによって境界される。
【００９６】
上記のように、図１４および１５に示される曲げ剛性プロファイルは、特定のチタン合金から作製されるフェースを有する、ゴルフクラブヘッドに対して得られた。しかしながら、上記の好ましい曲げ剛性プロファイルの範囲に入るいかなるゴルフクラブヘッドも、試験済みのゴルフクラブヘッドと同一、または同様の寛容度特性を達成することから、図１４および１５の曲げ剛性プロファイルは、特定のチタン合金以外の材料から作製されるフェース、および恐らく異なる厚さプロファイルを有する、ゴルフクラブヘッドに対する好ましい曲げ剛性プロファイルも表す。例えば、試験済みのチタン合金以外の材料、例えば、異なるチタン合金、複合材料、または両方の組合せなどから作製されるフェースを有するゴルフクラブヘッドは、図１４および１５に表される曲げ剛性プロファイルを達成することができるが、フェースの材料組成の理由から、図１４および１５に表されるものとは、異なる厚さプロファイルを有する可能性がある。厚さプロファイルは異なる可能性があるが、上記の曲げ剛性プロファイルを達成するフェースは、チタンフェースに関して、上記の厚さプロファイルを達成するルフクラブヘッドと同一、または同様の寛容度特性を提供すると、確認されている。特定の実施形態では、例えば、黒鉛エポキシ、または積層金属などの複合材料から作製される、ゴルフクラブヘッドのフェースの曲げ剛性プロファイルは、積層理論において一般的に既知の方法を使用して、層の厚さの合計によって得ることができる。
【００９７】
クラウン１２、ソール１４、およびスカート１６は、鋳造、冷間成形、一体成型、および／または鍛造などの技術を使用して、一体的に形成することができ、打撃フェース１８は、当技術分野で既知の手段によって、クラウン、ソール、およびスカートに接合することができる。例えば、打撃フェース１８は、米国特許出願公開第２００５／０２３９５７５号、および第２００４／０２３５５８４号に記載されるように、ボディ１０に接合することができる。ボディ１０は、合金（例えば、チタン、スチール、アルミニウム、および／またはマグネシウム）、複合材料、セラミック材料、またはそれらのいかなる組合せから作製することができる。ゴルフクラブヘッド２の壁７２は、参照することによって本願に組み込まれる２００５年２月２５日出願の、米国出願第１１／０６７，４７５号に記載されるような、薄壁構造物から作製することができる。例えば、いくつかの実施形態では、壁は、約０．６５ｍｍから約０．８ｍｍの厚さを有することができる。具体的な一実施形態では、クラウン１２、およびスカート１６の壁７２は、約０．６５ｍｍの厚さを有し、ソール１４の壁は、約０．８ｍｍの厚さを有する。
【００９８】
ゴルフクラブヘッド２の基点座標系は、クラブヘッドの様々な特性の位置（例えば、クラブヘッドの重心（ＣＧ）５０（図５および６を参照）を含む）を決定することができるように、画定することができる。図４〜６を参照すると、クラブヘッドの基点６０は、ゴルフクラブヘッド２上に表される。クラブヘッドの基点６０は、ボール打撃面２２の理想的なインパクト位置２３、または幾何学的中心に配設される。
【００９９】
図５および６を参照すると、ヘッドの基点６０に関して画定されるような、ヘッドの基点座標系は、ゴルフクラブヘッド２がアドレス位置にあるとき、地面１７に対して略垂直方向に、ヘッドの基点６０に延在するｚ軸６５、打撃面２２に略平行、すなわち、理想的なインパクト位置２３でボール打撃面２２に略接線の、トウからヒールの方向に、ヘッドの基点６０に延在し、ｚ軸６５に略垂直であるｘ軸７０、および前後方向にヘッドの基点６０に延在し、ｘ軸７０、およびｚ軸６５に略垂直であるｙ軸７５の、３つの軸を含む。ｘ軸７０、およびｙ軸７５は両方、ゴルフクラブヘッド２がアドレス位置にあるとき、地面１７に対して略水平方向に延在する。ｘ軸７０は、基点６０から、ゴルフクラブヘッド２のヒール部２６に、正の方向に延在する。ｙ軸７５は、基点６０から、ゴルフクラブヘッド２のリア部３２に向かって、正の方向に延在する。ｚ軸６５は、基点６０から、クラウン１２に向かって、正の方向に延在する。
【０１００】
一実施形態では、ゴルフクラブヘッド２は、約０．０ｍｍから約６．０ｍｍのｘ軸座標、約３０ｍｍから約５０ｍｍのｙ軸座標、および約０．０ｍｍから約−６．０ｍｍのｚ軸座標で、ＣＧを有することができる。図５および６を参照すると、具体的な一実施形態では、ＣＧ  ｘ軸座標は、約１．８ｍｍであり、ＣＧ  ｙ軸座標は、約３７．１ｍｍであり、ＣＧ  ｚ軸座標は、約−３．３ｍｍである。
【０１０１】
図４を参照すると、ゴルフクラブヘッド２は、ゴルフクラブヘッド２が適切なアドレス位置にあるとき、ｚ軸に平行な軸に沿って測定される、ボディ１０の外側表面の最下点と、最上点との間の距離として画定される、最大のクラブヘッドの高さ（Ｈｃｈ）、ゴルフクラブヘッド２が適切なアドレス位置にあるとき、ｘ軸に平行な軸に沿って測定される、ボディのヒール、およびトウ部２６、２８の最大範囲の間の距離として画定される、最大のクラブヘッドの幅（Ｗｃｈ）、およびゴルフクラブヘッド２が適切なアドレス位置にあるとき、ｙ軸に平行な軸に沿って測定される、ボディ１０の表面の最前点と、最後点との間の距離として画定される、最大のクラブヘッドの深さ（Ｄｃｈ）、または長さを有する。ゴルフクラブヘッド２の高さ、および幅は、ＵＳＧＡＰｒｏｃｅｄｕｒｅ  ｆｏｒ  Ｍｅａｓｕｒｉｎｇ  ｔｈｅ  Ｃｌｕｂｈｅａｄ  Ｓｉｚｅ  ｏｆ  Ｗｏｏｄ  Ｃｌｕｂｓ灯Ｒｅｖｉｓｉｏｎ  １．０に従って、測定される。いくつかの実施形態では、ゴルフクラブヘッド２は、約４８ｍｍから７２ｍｍの高さ（Ｈｃｈ）、約１００ｍｍから約１３０ｍｍの幅（Ｗｃｈ）、および約１００ｍｍから約１３０ｍｍの深さ（Ｄｃｈ）を有する。具体的な一実施形態では、ゴルフクラブヘッド２は、約６０．７ｍｍの高さ（Ｈｃｈ）、約１２０．５ｍｍの幅（Ｗｃｈ）、および約１０６．７ｍｍの深さ（Ｄｃｈ）を有する。
【０１０２】
図５および６を参照すると、ゴルフクラブヘッド２の慣性モーメントは、通常、（１）ゴルフクラブヘッド２がアドレス位置にあるとき、地面１７に対して略垂直方向に、ＣＧ５０に延在するＣＧ  ｚ軸８５、（２）ボール打撃面２２に略平行の、ヒールからトウの方向にＣＧ５０に延在し、ＣＧ  ｚ軸８５に略垂直のＣＧ  ｘ軸９０、および（３）前後方向にＣＧ５０に延在し、ＣＧ  ｘ軸９０、およびＣＧ  ｚ軸８５に略垂直のＣＧ  ｙ軸９５の、ゴルフクラブヘッドのＣＧ５０を介して延在する、３つの軸の周囲に画定される。ＣＧ  ｘ軸９０、およびＣＧ  ｙ軸９５の両方は、ゴルフクラブヘッド２がアドレス位置にあるとき、地面１７に対して略水平方向に延在する。
【０１０３】
ゴルフクラブヘッドのＣＧ  ｘ軸９０周囲の慣性モーメントは、以下の方程式によって計算される。
【０１０４】
【数３９】
2009160376.tif 000041
【０１０５】
式中、ｙは、ゴルフクラブヘッドのＣＧ  ｘｚ面から、微小質量ｄｍまでの距離であり、ｚは、ゴルフクラブヘッドのＣＧ  ｘｙ面から、微小質量ｄｍまでの距離である。ゴルフクラブヘッドのＣＧ  ｘｚ面は、ゴルフクラブヘッドのＣＧ  ｘ軸９０、およびゴルフクラブヘッドのＣＧ  ｚ軸８５によって画定される面である。ＣＧ  ｘｙ面は、ゴルフクラブヘッドのＣＧ  ｘ軸９０、およびゴルフクラブヘッドのＣＧ  ｙ軸９５によって画定される面である。
【０１０６】
ゴルフクラブヘッドのＣＧ  ｚ軸８５周囲の慣性モーメントは、以下の方程式によって計算される。
【０１０７】
【数４０】
2009160376.tif 000042
【０１０８】
式中、ｘは、ゴルフクラブヘッドのＣＧ  ｙｚ面から、微小質量ｄｍまでの距離であり、ｙは、ゴルフクラブヘッドのＣＧ  ｘｚ面から、微小質量ｄｍまでの距離である。ゴルフクラブヘッドのＣＧ  ｙｚ面は、ゴルフクラブヘッドのＣＧ  ｙ軸９５、およびゴルフクラブヘッドのＣＧ  ｚ軸８５によって画定される面である。
【０１０９】
ＣＧ  ｚ軸周囲の慣性モーメント（Ｉｚｚ）が、ＣＧ  ｚ軸周囲のねじれに抵抗する、ゴルフクラブヘッドの能力を表すものであるとき、ＣＧ  ｘ軸周囲の慣性モーメント（Ｉｘｘ）は、ＣＧ  ｘ軸周囲のねじれに抵抗する、ゴルフクラブヘッドの能力を表すものである。ＣＧ  ｘ軸周囲の慣性モーメント（Ｉｘｘ）がより高いと、ゴルフボールとの高い、および低いオフセンターのインパクト時の、ゴルフクラブヘッドの寛容度が、より大きくなる。つまり、理想的なインパクト位置２３より上の、ボール打撃面１８の位置で、ゴルフクラブヘッドによって打たれるゴルフボールは、ゴルフクラブヘッドが上方にねじれ、ゴルフボールが、望んでいたより高い軌道を有する原因となる。同様に、理想的なインパクト位置２３より下の、打撃面１８の位置で、ゴルフクラブヘッドによって打たれるゴルフボールは、ゴルフクラブヘッドが下方にねじれ、ゴルフボールが、望んでいたより低い軌道を有する原因となる。ＣＧ  ｘ軸周囲の慣性モーメント（Ｉｘｘ）の増加は、高い、および低いオフセンターのインパクトの悪影響を軽減するために、ゴルフクラブヘッドの上方、および下方のねじれを軽減する。
【０１１０】
比較的一定の厚さのフェース設計と比較すると、上記の打撃フェース１８の変厚は、（１）より大きい裁量重量を、慣性モーメントの増加のために、重心から離れて配設する、または望ましい重心位置を得るために、戦略的に配設することを可能にするために、ＵＳＧＡのＣＯＲ制約を超えることなく、フェースの質量、例えば、重量を減少させること、（２）寛容度を助長するために、打撃面のサイズを増加させること、および（３）フェースの他の部分と比較して、よりよいゴルフショットの寛容度を提供する、クラブヘッドのＣＯＲゾーン、例えば、ゴルフクラブヘッドのフェースの芯を増加させること、を促進する。
【０１１１】
変厚の打撃フェース１８による軽量化によって、ゴルフクラブヘッド２の慣性モーメントを増加するために、より大きい裁量重量が利用可能である。例えば、いくつかの実施形態では、ゴルフクラブヘッド２のＣＧ  ｚ軸周囲の慣性モーメント（Ｉｚｚ）は、約４９０ｋｇ／ｍｍ２から６００ｋｇ／ｍｍ２であり、ゴルフクラブヘッド２のＣＧ  ｘ軸周囲の慣性モーメント（Ｉｘｘ）は、約２８０ｋｇ／ｍｍ２から約４２０ｋｇ／ｍｍ２である。具体的な一例示的実施形態では、図１に示すように、ゴルフクラブヘッド２のＣＧ  ｚ軸周囲の慣性モーメント（Ｉｚｚ）は、約５２８ｋｇ／ｍｍ２であり、ゴルフクラブヘッド２のＣＧ  ｘ軸周囲の慣性モーメント（Ｉｘｘ）は、約３３９ｋｇ／ｍｍ２である。
【０１１２】
上記のように、打撃フェース１８などの変厚の打撃フェースは、フェースの耐久性を維持し、フェースのＣＯＲをＵＳＧＡの制限内に保つ一方で、打撃フェース２０の面積を増加させることを可能にする。フェースがより大きいと、ゴルフボールと接触可能な面積がより大きくなり、したがって、ゴルフクラブヘッドがより寛容になる。より大きい打撃フェースは、ボールと接触するクラブの唯一の部分であることから、ゴルフクラブの最も重要な特性の１つである。より大きいフェースを提供することにより（例えば、「天ぷら」ボールの軌道をもたらす）、フェースの端部から外れてボールを打つ可能性を最小限に抑える。したがって、より大きい打撃フェースは、より積極的にボールを打つためのさらなる自信を、ゴルファーに与える。
【０１１３】
打撃フェース１８などの変厚の打撃フェースは、ゴルフクラブヘッドの寛容度を増加させるために、フェースのＣＯＲゾーンを増加させる。例えば、図１６を参照すると、一定および変厚のフェース、およびＣＧ  ｚ軸周囲の慣性モーメント（Ｉｚｚ）の様々な組合せを有する、ゴルフクラブヘッドの寛容度が比較される。各ゴルフクラブヘッド構成に対して、ゴルフクラブヘッドの基点ｘ軸に沿って、打撃面上の様々な位置で衝撃を受ける、ゴルフボールのボールスピードが示される。オフセンターのヒットに対して、より小さいボールスピードの低下を経験するクラブヘッドは、より大きく寛容度を助長すると言われている。各ゴルフクラブヘッドは、０．８２０のＣＯＲ、および２０６ｇのヘッドの質量を有し、ゴルフボールとのインパクト時に１０９ｍｐｈで飛んでいた。これらの結果は、市販の有限要素解析ツール、ＡＢＡＱＵＳを使用して、クラブヘッドの模型作製に基づく。図示されるように、６００ｋｇ／ｍｍ２のＩｚｚ、および一定の厚さのフェースを有するゴルフクラブヘッドは、４００ｋｇ／ｍｍ２の低いＩｚｚを有するが、変厚のフェースを有するゴルフクラブヘッドを有するゴルフクラブヘッドと、同様の寛容度特性を有する。さらに、６００ｋｇ／ｍｍ２のＩｚｚ、および変厚のフェースを有する実施形態は、８００ｋｇ／ｍｍ２の高いＩｚｚ、および一定の厚さのフェースを有するゴルフクラブヘッドよりも、大きく寛容度を助長する。
【０１１４】
このことは、変厚のフェースプレート、および６００ｋｇ／ｍｍ２のＩｚｚを有するクラブヘッドが、６００ｋｇ／ｍｍ２を超える、ｚ軸周囲の実際の慣性モーメントを有すると言っているわけではない。それどころか、クラブヘッドの「感触」は、ｚ軸周囲に高い慣性モーメントを有するゴルフクラブヘッドに引けを取らない。したがって、変厚のフェースプレート、および６００ｋｇ／ｍｍ２のＩｚｚを有するクラブヘッドは、オフセンターのヒットによるボールスピードを考慮するとき、８００ｋｇ／ｍｍ２を超える「有効なＭＯＩ」を有すると言うことができる。６００ｋｇ／ｍｍ２未満の実際のＭＯＩ（例えば、５９０ｋｇ／ｍｍ２＋１０ｋｇ／ｍｍ２の測定許容範囲）を有するクラブヘッドは、有効なＭＯＩ（一定のフェースプレートの厚さの設計と比較して）が、６００ｋｇ／ｍｍ２よりも大きいと思われるが、実際には、ＵＳＧＡのＭＯＩ規則に準拠すると考えられるであろう。
【０１１５】
図１７〜２２を参照すると、別の例示的な実施形態による、ゴルフクラブヘッド１００は、内部空洞１５７を画定するクラウン１１２、ソール１１４、スカート１１６、および打撃フェース１１８を有する。ボディ１１０は、ホーゼル１２０、ヒール部１２６、トウ部１２８、フロント部１３０、リア部１３２、および内部リブ１８２をさらに含む。打撃フェース１１８は、打撃面の幾何学的中心１２３で、理想的なインパクト位置を有する、外方に向いているボール打撃面１２２を含む。いくつかの実施形態では、ゴルフクラブヘッド１００は、約４００ｃｍ３から約４９０ｃｍ３の体積、および約１８５ｇから約２１５ｇの全質量を有する。図１７を参照すると、具体的な一実施形態では、ゴルフクラブヘッド１００は、約４５４ｃｍ３の体積、および約２０２．８ｇの全質量を有する。
【０１１６】
特に指定のない限り、ゴルフクラブヘッド１００のボディ１１０の、全般的な詳細、および特性は、ゴルフクラブヘッド２のボディ１０の、同一、または同様の特性を参照して、理解することができる。
【０１１７】
図示される実施形態では、ゴルフクラブヘッド１００のフェース１１８は、ｘ軸（図２１を参照）、およびｙ軸（図２２を参照）に沿って、厚さプロファイルを有する。フェース１１８のｘ軸に沿った厚さプロファイルは、有効なｘ軸範囲の約１００％に沿った、最小および最大厚さプロファイルによって境界される。同様に、フェース１１８のｚ軸に沿った厚さプロファイルは、有効なｚ軸範囲の約１００％に沿った、最小および最大厚さプロファイルによって境界される。
【０１１８】
曲げ剛性プロファイルが、厚さプロファイルによって異なるため、ゴルフクラブヘッド１００のフェース１１８は、同様に有効なｘ軸範囲の約１００％に沿った、最小および最大曲げ剛性プロファイルによって境界される、ｘ軸に沿った曲げ剛性プロファイルを有する。同様に、フェース１１８のｚ軸に沿った曲げ剛性プロファイルは、同様に有効なｚ軸範囲の約１００％に沿った、最小および最大曲げ剛性プロファイルによって境界される。
【０１１９】
ソール１１４は、ゴルフクラブヘッド２のソール１４よりも短い距離、ゴルフクラブヘッド１００の最下点から上方に延在する。例えば、いくつかの実施では、ソール１１４は、ゴルフクラブヘッド１００の最下点から、クラウン１１２までの距離の、約５０％から６０％上方に延在するが、場合によっては、ドライバーに対して約１５ｍｍ、およびフェアウェイウッドに対して、約１０ｍｍから約１２ｍｍである可能性がある。さらに、ソール１１４は、適切なアドレス位置にあるとき、地面１１７に水平に延在する、実質的扁平部１１９を備える。一部の実施形態において、ソール１１４の最底部は、ゴルフクラブヘッド１００の深さ（Ｄｃｈ）の、約５％から約７０％、地面１１７に実質的に平行に延在する。
【０１２０】
ゴルフクラブヘッド１００のソール１１４は、ゴルフクラブヘッド２のソール１２よりも短いため、スカート１１６は、ゴルフクラブヘッド２のスカート１６よりも高く、すなわち、より大きい約垂直距離に延在する。
【０１２１】
少なくとも一実施形態では、ゴルフクラブヘッド１００は、クラブヘッドのリア部１３２に近接した、スカート１１６内に形成されるウェート部１４０を含む（図１２を参照）。ウェート部１４０は、参照することによって本願に組み込まれる米国特許出願第１１／０６６，７２０号、および第１１／０６５，７７２号に記載されるような、多くのウェート、またはウェートアセンブリのいずれも収容、および保持するような、多くの様々な構成のいずれも有することができる。
【０１２２】
いくつかの実施形態では、打撃面１２２のゴルフクラブヘッド１００は、約４５ｍｍから約６５ｍｍの高さ（Ｈｓｓ）、および約７５ｍｍから約１０５ｍｍの幅（Ｗｓｓ）を有する。具体的な一実施形態では、打撃フェース１２２は、約５４．４ｍｍの高さ（Ｈｓｓ）、約９０．６ｍｍの幅（Ｗｓｓ）、および約４，０９８ｍｍ２の総打撃面積を有する。
【０１２３】
一実施形態では、ゴルフクラブヘッド１００は、約０．０ｍｍから約６．０ｍｍのｘ軸座標、約３０ｍｍから約５０ｍｍのｙ軸座標、および約０．０ｍｍから約−６．０ｍｍのｚ軸座標で、ＣＧを有する。具体的な一実施形態では、ＣＧ  ｘ軸座標は、約２．０ｍｍであり、ＣＧ  ｙ軸座標は、約３７．９ｍｍであり、ＣＧ  ｚ軸座標は、約−４．６７ｍｍである。
【０１２４】
いくつかの実施形態では、ゴルフクラブヘッド１００は、約４８ｍｍから約７２ｍｍの高さ（Ｈｃｈ）、約１００ｍｍから約１３０ｍｍの幅（Ｗｃｈ）、および約１００ｍｍから約１３０ｍｍの深さ（Ｄｃｈ）を有する。具体的な一実施形態では、ゴルフクラブヘッド１００は、約６２．２ｍｍの高さ（Ｈｃｈ）、約１１９．３ｍｍの幅（Ｗｃｈ）、および１０３．９ｍｍの深さ（Ｄｃｈ）を有する。
【０１２５】
特定の例示的実施形態によると、ゴルフクラブヘッド１００は、約４９０ｋｇ／ｍｍ２から約６００ｋｇ／ｍｍ２の、ＣＧ  ｚ軸周囲の慣性モーメント（Ｉｚｚ）、および約２８０ｋｇ／ｍｍ２から約４２０ｋｇ／ｍｍ２の、ＣＧ  ｘ軸周囲の慣性モーメント（Ｉｘｘ）を有する。具体的な一実施形態では、ゴルフクラブヘッド１００は、約５００ｋｇ／ｍｍ２のＣＧ  ｚ軸周囲の慣性モーメント（Ｉｚｚ）、および約３３７ｋｇ／ｍｍ２のＣＧ  ｘ軸周囲の慣性モーメント（Ｉｘｘ）を有する。
【０１２６】
図２３〜２７を参照し、別の例示的な実施形態によると、ゴルフクラブヘッド２００は、ゴルフクラブヘッド１００のボディ１１０、およびゴルフクラブヘッド２のボディ１０と同様の、低いスカートを備える、ボディ２１０を有する。ボディ２１０は、内部空洞２５７を画定する、クラウン２１２、ソール２１４、スカート２１６、打撃フェース２１８を含む。ボディ２１０は、ホーゼル２２０、ヒール部２２６、トウ部２２８、フロント部２３０、およびリア部２３２をさらに含む。打撃フェース２１８は、打撃面の幾何学的中心２２３で、理想的なインパクト位置を有する、外方に向いているボール打撃面２２２を含む。いくつかの実施形態では、ゴルフクラブヘッド２００は、約４００ｃｍ３から約４９０ｃｍ３の体積、および約１８５ｇから約２１５ｇの全質量を有する。図２３を参照すると、具体的な一実施形態では、ゴルフクラブヘッド２００は、約４５５ｃｍ３の体積、および約２０３．９ｇの全質量を有する。他の具体的な実施形態では、ゴルフクラブヘッド２００は、約４４４ｃｍ３の体積、および約２０５．２ｇの全質量を有する。
【０１２７】
特に指定のない限り、ゴルフクラブヘッド２００のボディ２１０の、全般的な詳細、および特性は、ゴルフクラブヘッド２のボディ１０、およびゴルフクラブヘッド１００ボディ１１０の同一、または同様の特性を参照して、理解することができる。
【０１２８】
図示される実施形態では、ゴルフクラブヘッド２００の打撃フェース２１８は、ｘ軸（図２６を参照）、およびｚ軸（図２７を参照）に沿って、厚さプロファイルを有する。フェース１８のｘ軸に沿った厚さプロファイルは、有効なｘ軸範囲の約１００％に沿った、最小および最大厚さプロファイルによって境界される。同様に、フェース２１８のｚ軸に沿った厚さプロファイルは、有効なｚ軸範囲の約１００％に沿った、最小および最大厚さプロファイルによって境界される。
【０１２９】
曲げ剛性プロファイルが、厚さプロファイルによって異なるため、ゴルフクラブヘッド２００の打撃フェース２１８は、同様に有効なｘ軸範囲の約１００％に沿った、最小および最大曲げ剛性プロファイルによって境界される、ｘ軸に沿った曲げ剛性プロファイルを有する。同様に、打撃フェース２１８のｚ軸に沿った曲げ剛性プロファイルは、同様に有効なｚ軸範囲の約１００％に沿った、最小および最大曲げ剛性プロファイルによって境界される。
【０１３０】
ゴルフクラブヘッド１００のソール１１４と同様に、ソール２１４は、ゴルフクラブヘッド２００の最下点から、クラウン２１２までの距離の、約５０％から約６０％上方に延在する。したがって、スカート２１６は、ゴルフクラブヘッド２のスカート１６よりも高く、すなわち、より大きい約垂直距離、延在する。
【０１３１】
少なくとも一実施形態では、また図１６、１８および２０に示すように、ゴルフクラブヘッド２００は、クラブヘッドのリア部２３２に近接した、ソール１１４内に形成されるウェート部２４０を含む。ウェート部２４０は、多くのウェート、またはウェートアセンブリのいずれも収容、および保持するような、多くの様々な構成のいずれも有することができる。例えば、図示されるように、ウェート部２４０は、ボディ２１０の壁２７２から内部空洞２５７に上方に実質的に垂直に延在する。
【０１３２】
いくつかの実施形態では、打撃面２２２のゴルフクラブヘッド２００は、約４５ｍｍから約６５ｍｍの高さ（Ｈｓｓ）、および７５ｍｍから約１０５ｍｍの幅（Ｗｓｓ）を有する。具体的な一実施形態では、打撃面２２２は、約５３．５ｍｍの高さ（Ｈｓｓ）、約９２．３ｍｍの幅（Ｗｓｓ）、および約４，０１３ｍｍ２の総打撃面積を有する。別の具体的な実施形態では、打撃面２２２は、約５４．７ｍｍの高さ（Ｈｓｓ）、約９２．３ｍｍの幅（Ｗｓｓ）、および約４，１１５ｍｍ２の総打撃面積を有する。
【０１３３】
一実施形態では、ゴルフクラブヘッド２００は、約０．０ｍｍから約６．０ｍｍのｘ軸座標、約３０ｍｍから約５０ｍｍのｙ軸座標、および約０．０ｍｍから約−６．０ｍｍのｚ軸座標で、ＣＧを有する。具体的な一実施形態では、ＣＧ  ｘ軸座標は、約２．２ｍｍであり、ＣＧ  ｙ軸座標は、約３７．９ｍｍであり、ＣＧ  ｚ軸座標は、約−４．３ｍｍである。別の具体的な実施形態では、ＣＧ  ｘ軸座標は、約２．８ｍｍであり、ＣＧ  ｙ軸座標は、約３５．８ｍｍであり、ＣＧ  ｚ軸座標は、約−３．４ｍｍである。
【０１３４】
いくつかの実施形態では、ゴルフクラブヘッド２００は、約４８ｍｍから約７２ｍｍの高さ（Ｈｃｈ）、約１００ｍｍから約１３０ｍｍの幅（Ｗｃｈ）、および約１００ｍｍから約１３０ｍｍの深さ（Ｄｃｈ）を有する。具体的な一実施形態では、ゴルフクラブヘッド２００は、約６２．３ｍｍの高さ（Ｈｃｈ）、約１２０．０ｍｍの幅（Ｗｃｈ）、および約１１１．６ｍｍの深さ（Ｄｃｈ）を有する。別の具体的な実施形態では、ゴルフクラブヘッド２００は、約６２．６ｍｍの高さ（Ｈｃｈ）、約１２１．０ｍｍの幅（Ｗｃｈ）、および約１０７．４ｍｍの深さ（Ｄｃｈ）を有する。
【０１３５】
ゴルフクラブヘッド２００は、いくつかの実施形態では、約４９０ｋｇ／ｍｍ２から約６００ｋｇ／ｍｍ２のＣＧ  ｚ軸周囲の慣性モーメント（Ｉｚｚ）、および約２８０ｋｇ／ｍｍ２から約４２０ｋｇ／ｍｍ２のＣＧ  ｘ軸周囲の慣性モーメント（Ｉｘｘ）を有する。具体的な一実施形態では、クラブヘッド２００は、約５１６ｋｇ／ｍｍ２のＣＧ  ｚ軸周囲の慣性モーメント（Ｉｚｚ）、および約３５４ｋｇ／ｍｍ２のＣＧ  ｘ軸周囲の慣性モーメント（Ｉｘｘ）を有する。別の具体的な実施形態では、クラブヘッド２００は、約４９６ｋｇ／ｍｍ２のＣＧ  ｚ軸周囲の慣性モーメント（Ｉｚｚ）、および約３２９ｋｇ／ｍｍ２のＣＧ  ｘ軸周囲の慣性モーメント（Ｉｘｘ）を有する。
【０１３６】
開示されるゴルフクラブヘッドの原理を応用することができる、多くの可能な実施形態を考慮して、図示される実施形態は、ゴルフクラブヘッドの好ましい実施例に過ぎず、ゴルフクラブヘッドの範囲を限定すると考えるべきではないことを、認識されるものとする。正確には、本発明の範囲は、以下の請求項によって定義される。したがって、我々は、これらの請求項の範囲、および精神内に入るすべてを、我々の発明として請求する。
【図面の簡単な説明】
【０１３７】
【図１】図１は、第１の実施形態による、ゴルフクラブヘッドの側面図である。
【図２】図２は、図１のゴルフクラブヘッドの正面図である。
【図３】図３は、図１のゴルフクラブヘッドの底面斜視図である。
【図４】図４は、ゴルフクラブヘッドの基点の座標系を示し図１のゴルフクラブヘッドの正面図である。
【図５】図５は、重心の座標系を示し図１のゴルフクラブヘッドの側面図である。
【図６】図６は、図１のゴルフクラブヘッドの平面図である。
【図７】図７は、図１の線７−７に沿った図１のゴルフクラブヘッドの断面図である。
【図８】図８は、図２の線８−８に沿った図１のゴルフクラブヘッドの断面側面図である。
【図９】図９は、打撃フェースの背面図である。
【図１０】図１０は、図９の線１０−１０に沿った図９の打撃フェースの断面側面図である。
【図１１】図１１は、図９の線１１−１１に沿った図９の打撃フェースの断面側面図である。
【図１２】図１２は、クラブヘッドの基点ｘ軸に沿った打撃フェースの厚さの変化のグラフである。
【図１３】図１３は、クラブヘッドの基点ｚ軸に沿った、打撃フェースの厚さの変化のグラフである。
【図１４】図１４は、クラブヘッドの基点ｘ軸に沿った打撃フェースの曲げ剛性の変化のグラフである。
【図１５】図１５は、クラブヘッドの基点ｚ軸に沿った打撃フェースの曲げ剛性の変化のグラフである。
【図１６】図１６は、異なるゴルフクラブヘッドの実施形態に対する、打撃フェースのインパクト位置によるボールスピードのロスの変化のグラフである。
【図１７】図１７は、第２の実施形態による、ゴルフクラブヘッドの側面図である。
【図１８】図１８は、図１７のゴルフクラブヘッドの正面図である。
【図１９】図１９は、図１７のゴルフクラブヘッドの底面斜視図である。
【図２０】図２０は、図１７のゴルフクラブヘッドの平面図である。
【図２１】図２１は、図１７の線２１−２１に沿った図１７のゴルフクラブヘッドの断面図である。
【図２２】図２２は、図２０の線２２−２２に沿った図１７のゴルフクラブヘッドの断面側面図である。
【図２３】図２３は、第３の実施形態による、ゴルフクラブヘッドの側面図である。
【図２４】図２４は、図２３のゴルフクラブヘッドの底面斜視図である。
【図２５】図２５は、図２３のゴルフクラブヘッドの平面図である。
【図２６】図２６は、図２３の線２６−２６に沿った図２３のゴルフクラブヘッドの断面図である。
【図２７】図２７は、図２５の線２７−２７に沿った図２３のゴルフクラブヘッドの断面側面図である。
【図１】
2009160376.tif 000065
【図２】
2009160376.tif 000066
【図３】
2009160376.tif 000067
【図４】
2009160376.tif 000068
【図５】
2009160376.tif 000069
【図６】
2009160376.tif 000070
【図７】
2009160376.tif 000071
【図８】
2009160376.tif 000072
【図９】
2009160376.tif 000073
【図１０】
2009160376.tif 000074
【図１１】
2009160376.tif 000075
【図１２】
2009160376.tif 000076
【図１３】
2009160376.tif 000077
【図１４】
2009160376.tif 000078
【図１５】
2009160376.tif 000079
【図１６】
2009160376.tif 000080
【図１７】
2009160376.tif 000081
【図１８】
2009160376.tif 000082
【図１９】
2009160376.tif 000083
【図２０】
2009160376.tif 000084
【図２１】
2009160376.tif 000085
【図２２】
2009160376.tif 000086
【図２３】
2009160376.tif 000087
【図２４】
2009160376.tif 000088
【図２５】
2009160376.tif 000089
【図２６】
2009160376.tif 000090
【図２７】
2009160376.tif 000091
【外国語明細書】
2009160376000001.pdf